(57)【要約】      （修正有）【課題】染毛剤などの薬品が付着した際にも簡単に除去することができ、涼しく着用することができるヘアダイ用ケープを提供する。【解決手段】ヘアダイ用ケープは、防水性の前布１、後布、袖部３を有し、前布１、後布、袖部３の上部中央に円形開口部が形成され、円形開口部の周縁にテープ状の布地を被覆した襟部６が形成されて構成される。前布１の上前身頃部１ａにその前布の布地に代えて網地が縫着される。網地を覆うようにカバー布５がその上縁部と左右両側の側縁部を縫着される。前布１、後布、袖部３、及びカバー布５は、ポリエステルトリコットを基布として、基布の表面にポリエチレンフィルムをラミネートして形成される。【選択図】図１
0003177791.tif 000002
【実用新案登録請求の範囲】
【請求項１】
防水性の前布と後布の両側上部間に袖部が縫着され、該前布、該後布、該袖部の上部中央に円形開口部が形成され、該円形開口部の周縁にテープ状の布地を被覆した襟部が形成されてなるヘアダイ用ケープにおいて、
該前布の上前身頃部に該前布の布地に代えて網地が縫着され、該網地を覆うようにカバー布がその上縁部と左右両側の側縁部を縫着され、
該前布、該後布、該袖部、及び該カバー布が、ポリエステルトリコットを基布として、該基布の表面にポリエチレンフィルムをラミネートして形成されたことを特徴とするヘアダイ用ケープ。
【請求項２】
前記前布、後布、袖部の上端部中央に円形開口部が形成され、該円形開口部の周囲に後開きの襟部が形成され、該襟部と該後布の重ね合わせ部に、黒色の面ファスナが縫着されたことを特徴とする請求項１記載のヘアダイ用ケープ。
【考案の詳細な説明】
【技術分野】
【０００１】
本考案は、美容院や理髪店等において、主にヘアダイを行なって染毛する際、服の汚れを防ぐために着用するヘアダイ用ケープに関する。
【背景技術】
【０００２】
美容院や理髪店等で使用する洗髪用ケープは、一般に、前布と後布からなる布地の上部中央に、首を通すための円形開口部を設けて襟部とし、その襟部の両端、或は後布の中央縦方向に設けた重ね合わせ部を、面ファスナ等により止めるように構成されている。また、洗髪用ケープは、洗髪に使用されて濡れる可能性が大きいため、防水性布が一般に使用される。
【０００３】
しかし、このような洗髪用ケープは、使用時、洗髪する着用者の体を上から覆うように被せ、開口された襟部或は後布の開口両端を、面ファスナなどで止めて着用するが、洗髪用ケープの布地は通常、防水布で形成され、着用者を上からすっぽり覆うように着用するため、着用者自身の汗や熱が外部に通して発散しにくく、梅雨時や夏期などには、着用者に蒸し暑い思いをさせる問題があった。
【０００４】
そこで、本出願人は、従来、下記特許文献１により、着用者の蒸し暑さを低減するようにした洗髪用ケープを提案した。
【先行技術文献】
【特許文献】
【０００５】
【特許文献１】特開平１１−３１８５６１号公報
【考案の概要】
【考案が解決しようとする課題】
【０００６】
この洗髪用ケープは、美容院などにおいて、洗髪の際だけではなく、ヘアダイにより髪を染める際にも使用される場合があり、ヘアダイにこの種の洗髪用ケープを使用すると、染毛剤（脱色剤、ヘアカラー液など）が洗髪用ケープに付着する。しかし、ヘアダイに使用される染毛剤には強力な酸化剤やアルカリ剤などの薬品が含まれるため、染毛剤が洗髪用ケープに付着すると、ケープ生地が変色しやすいという課題があった。
【０００７】
本考案は、上述の課題を解決するものであり、染毛剤などの薬品が付着した際にも簡単に除去することができ、涼しく着用することができるヘアダイ用ケープを提供することを目的とする。
【課題を解決するための手段】
【０００８】
本考案に係るヘアダイ用ケープは、防水性の前布と後布の両側上部間に袖部が縫着され、該前布、該後布、該袖部の上部中央に円形開口部が形成され、該円形開口部の周縁にテープ状の布地を被覆した襟部が形成されてなるヘアダイ用ケープにおいて、該前布の上前身頃部に該前布の布地に代えて網地が縫着され、該網地を覆うようにカバー布がその上縁部と左右両側の側縁部を縫着され、該前布、該後布、該袖部、及び該カバー布が、ポリエステルトリコットを基布として、該基布の表面にポリエチレンフィルムをラミネートして形成されたことを特徴とする。
【０００９】
このヘアダイ用ケープによれば、前布、後布、袖部、及びカバー布が、ポリエステルトリコットを基布として、基布の表面にポリエチレンフィルムをラミネートしているため、染毛剤（脱色剤、ヘアカラー液）がヘアダイ用ケープに付着した場合でも、染毛剤を簡単にふき取ることができ、ケープ布地の変色を防止することができる。さらに、前布の上前身頃部に前布の布地に代えて網地が縫着されるので、カバー布により防水性を保持しながら、通気性が改善され、梅雨時や夏期などの長時間の着用であっても、内側の湿気や熱を外部に良好に発散させ、着用者は涼しく快適に着用することができる。
【００１０】
また、ケープの布地が、ポリエステルトリコットを基布として、基布の表面にポリエチレンフィルムをラミネートして形成されるので、従来の防水布に比して、通気性が向上し、着用者は涼しく快適に着用することができる。
【００１１】
ここで、上記ヘアダイ用ケープにおいては、上記前布、後布、袖部の上端部中央に円形開口部が形成され、該円形開口部の周囲に後開きの襟部が形成され、該襟部と後布の重ね合わせ部には、黒色の面ファスナを縫着することが好ましい。これによれば、襟部と後布の重ね合わせ部の面ファスナには、髪の毛などの汚れが付着しやすいが、その汚れの付着を目立たなくすることができる。
【考案の効果】
【００１２】
この考案のヘアダイ用ケープによれば、染毛剤などの薬品が付着した際にも簡単に除去することができ、着用者は涼しく快適に着用することができる。
【図面の簡単な説明】
【００１３】
【図１】本考案の一実施形態を示すヘアダイ用ケープの正面図である。
【図２】同ヘアダイ用ケープの平面図である。
【図３】同ヘアダイ用ケープの背面図である。
【図４】カバー布を破断した状態の正面図である。
【図５】カバー布を破断した状態の側面図である。
【図６】カバー布を破断した状態の拡大部分斜視図である。
【考案を実施するための形態】
【００１４】
以下、本考案の一実施形態を図面に基づいて説明する。図１はヘアダイ用ケープの正面図を示し、図２はその平面図を示している。このヘアダイ用ケープは、防水性の前布１と後布２を有し、前布１と後布２の上部中央に円形開口部１０が形成され、円形開口部１０の周縁にテープ状の布地を被覆した襟部６が形成されて構成される。さらに、このヘアダイ用ケープは、前布１の上前身頃部１ａにその前布１の布地に代えて網地４が縫着され、網地４を覆うようにカバー布５がその上縁部と左右両側の側縁部を縫着される。ケープ布地となる前布１、後布２、袖部３、及びカバー布５は、ポリエステルトリコットを基布として、基布の表面にポリエチレンフィルムをラミネートして形成される。
【００１５】
すなわち、前布１、後布２、袖部３、及びカバー布５は、防水性布で且つ髪が付着しにくい布から形成され、防水性布は、ポリエステルトリコットの表面に薄いポリエチレンフィルムをラミネートして形成される。基布となるポリエステルトリコットは軽く滑りにくく、伸縮性に富み、通気性も良好な布である。さらに、このポリエステルトリコットの基布の表面に、耐薬品性の良いポリエチレンフィルムがラミネートされ、防水性布とされる。
【００１６】
前布１、後布２、袖部３、及びカバー布５の表面にラミネートされるポリエチレンフィルムには、例えば、高圧で重合した低密度ポリエチレンのフィルムが使用されるため、ポリエチレンフィルムは防水性を保持しながら、通気性を有するフィルムである。また、ポリエチレンフィルムは、耐薬品性に優れたフィルムであるため、使用時に、染毛剤（ヘアカラー液）がヘアダイ用ケープの前布１、後布２、袖部３、またはカバー布５に付着した場合でも、変色などは生じず、染毛剤を簡単にふき取ることができるようになっている。
【００１７】
カバー布を破断した状態の図４、５に示すように、前布１の上部つまり上前身頃部１ａには、その前布１の布地に代えて、網地４が使用される。前布１と後布２は、その下部両側が共に縫着され、その前布１と後布２の上部間の両側に袖部３が縫着される。前布１の上前身頃部１ａは網地４で形成されるため、網地４の両側に袖部３の側部が縫着されることになる。網地４には、例えばナイロンメッシュ、トリコットメッシュ等が使用される。後布２はその中央部で縦に２つに分離され、開口可能であり、その両端部に重ね合わせ部が形成される。
【００１８】
上記前布１、後布２、左右の袖部３を縫着した状態で、その上端部中央に円形開口部１０が形成され、その円形開口部１０は、後布２の縦方向の分離によって開口可能であり、後開きの襟部６が上端部中央に形成される。その襟部６は、円形開口部１０の周縁にテープ状布７を縫着して形成され、図６に示すように、襟部６のテープ状布７は、前布１、後布２、左右の袖部３の上端部を巻き付けるように縫着し形成される。この襟部６のテープ状布は、上記の防水布と同様、ポリエステルトリコットの表面に薄いポリエチレンフィルムをラミネートした防水布から形成される。
【００１９】
更に、上記上前身頃部１ａの網地４の上方には、カバー布５がその上前身頃部１ａの網地４を上から空間をもって覆うように縫着される。このカバー布５は、その両側と上部を網地４の両側に縫い合わせ、その下部を開放し、空間と余裕をもたせて上前身頃部１ａの上方に縫着される。
【００２０】
さらに、襟部６の開口端部と外側面に、面ファスナ８が取付けられ、後布２の重ね合わせ部の両端部にも面ファスナ９が縫付けられる。面ファスナ８、９には黒色の面ファスナが縫着される。通常、ヘアダイ用ケープの使用時、面ファスナには髪の毛が付着して汚れが目立ちやすいが、黒色の面ファスナ８、９を設けることにより、髪の毛が付着しても、汚れが目立たないようになっている。
【００２１】
また、従来のヘアダイ用ケープは、通常、黒色の防水布を用いて構成されていたが、本ヘアダイ用ケープは、表面のラミネートフィルムが耐薬品性に優れたポリエチレンフィルムをラミネートして形成されるので、染毛剤の脱色液やヘアカラー剤がケープに付着しても、それを簡単に拭き取ることができる。このため、、ケープの色は、黒色ではなく、白色や明るい有彩色とすることができ、着用者の気分や美容院の雰囲気を和らげることができる。
【００２２】
このように構成されたヘアダイ用ケープは、美容院や理髪店等で、主にヘアダイを行う際に使用されるが、着用の際には、襟部６と後布２の後中央を縦に開いた状態で、着用者の腕を袖部３に通して着用する。そして、襟部６の面ファスナ８を止め、更に、後布２の重ね合わせ部の面ファスナ９を止める。
【００２３】
ヘアダイ用ケープを着用した着用者は、通常、リクライニング状態の椅子の上で、仰向けになって毛染めを行なうが、このとき、網地４でできた上前身頃部１ａは、着用者の胸部で上を向いて解放されている（カバー布５で覆われてはいるものの、カバー布５の下部が解放され開口している）から、その箇所から、良好に湿気や熱を発散させることができ、梅雨時や夏期においても、快適に着用することができる。
【００２４】
美容院などにおいて、ヘアダイにより髪を染める際、染毛剤（ヘアカラー液）の各種薬液を髪の毛に着けて、染毛を行なうので、ヘアダイ用の薬液が、ヘアダイ用ケープを構成する前布１、後布２、袖部３、及びカバー布５に付着することがある。しかし、ケープの布１、後布２、袖部３、及びカバー布５は、基布の表面に、耐薬品性に優れたポリエチレンフィルムがラミネートされているため、染毛剤がヘアダイ用ケープに付着した場合でも、簡単に染毛剤を拭き取ることができ、また、染毛剤によってヘアダイ用ケープが変色することも防止することができる。
【００２５】
一方、上記のように、前布１、後布２、袖部３、及びカバー布５は、防水性布で且つ髪が付着しにくいフィルムラミネート布から形成されるので、夏季などの気温上昇時に、美容院などでヘアダイ用ケープを長時間使用する場合、室内の空調温度によっては、やはり着用者には蒸し暑さが感じられやすい。
【００２６】
しかし、上前身頃部１ａのカバー布５の下部が網地４を通して解放されることに加え、前布１、後布２、袖部３、及びカバー布５が、ポリエステルトリコットを基布とし、基布の表面にポリエチレンフィルムをラミネートしているため、従来の防水布に比して、防水性を保持しながら通気性が改善され、梅雨時や夏期などの長時間の着用であっても、内側の湿気や熱を外部に発散させ、着用者は涼しく快適に着用することができる。
【００２７】
さらに、網地４の上をカバー布５が覆うため、ヘアダイの薬液が衣服を汚すことを防止するとともに、このカバー布５は上に折り曲げることができるため、どうしても熱いような場合、カバー布５を上に折り曲げて、網地４を露出させれば、更に、良好に湿気や熱を発散させることができる。
【符号の説明】
【００２８】
１      前布
１ａ    上前身頃部
２      後布
３      袖部
４      網地
５      カバー布
６      襟部
７      テープ状布
８      面ファスナ
９      面ファスナ
１０    円形開口部
【図１】
0003177791.tif 000003
【図２】
0003177791.tif 000004
【図３】
0003177791.tif 000005
【図４】
0003177791.tif 000006
【図５】
0003177791.tif 000007
【図６】
0003177791.tif 000008